(57)【要約】【課題】運搬者に安全な搬送を注意喚起させることができるワゴンを提供する。【解決手段】ワゴン１０は、所定間隔ごとに配置された複数の棚板２１が支柱２２により支持されたワゴン本体２０と、ワゴン本体２０の底部に設けられた車輪３０と、ワゴン本体２０の両側面に設けられた側板４０とを備えたものである。側板４０の前部には、ワゴン本体２０から一部が突出した凸部４１が設けられている。この凸部４１は、運搬者から見えづらい側板４０の前部の下部に設けられているので、運搬者はより慎重な運搬を心がけるようになる。【選択図】図１
2013112189.tif 000002
【特許請求の範囲】
【請求項１】
所定の間隔をあけて配置された複数の棚板が支柱により支持されたワゴン本体と、
前記ワゴン本体の底部に設けられた車輪と、
前記ワゴン本体の両側面に設けられた側板とを備え、
前記側板の前部には、前記ワゴン本体から少なくとも一部が突出した凸部が設けられていることを特徴とするワゴン。
【請求項２】
前記凸部は、前記側板の前部の下部に設けられている請求項１記載のワゴン。
【請求項３】
前記凸部の先端部同士を繋ぐ緩衝部材が設けられている請求項１または２記載のワゴン。
【請求項４】
前記側板には、前記棚板同士の間となる位置に、前記棚板に載置された物品を覗かせる窓部が設けられている請求項１から３のいずれかの項に記載のワゴン。
【発明の詳細な説明】
【技術分野】
【０００１】
本発明は、複数の矩形状の棚板と、この棚板を支持する支柱とを備えたワゴン本体に、車輪が設けられたワゴンに関するものである。
【背景技術】
【０００２】
物品を搬送する際に、効率よく運搬するためにワゴンが使用される。特に、複数の棚板が上下方向に並べられたワゴンは手軽に大量の物品を搬送できるので、病院や店舗、各種の施設などで使用されている。このようなワゴンについて、特許文献１に記載されたものが知られている。
【０００３】
特許文献１に記載の医療施設用ワゴン車は、下端にキャスターを設けた４本の支柱に取り付けられた複数段に仕切る仕切板（棚板）を、前方から奥方向に向かって下方に傾斜させていると共に、ワゴン車の左右両側面及び後面には、側板が取り付けられている。ワゴンに側板を設けることで、棚板に載せた物が左右方向にずれても落下し難くすることができる。
【先行技術文献】
【特許文献】
【０００４】
【特許文献１】特開２００７−４８１３４号公報
【発明の概要】
【発明が解決しようとする課題】
【０００５】
ところで、ワゴンで物品を搬送する際に、直角に曲がった通路を通ることがあるが、運搬者は直角な通路に対して、円弧状の進路を取りながら通過するよう、ワゴンを押す。しかし、運搬者が回転半径の目測を誤れば、ワゴンを通路に衝突させてしまう。特に、急いている場合や重量物を搬送している場合などは、急にワゴンの方向を変えることができず、いつもの感覚で曲がろうとすると、通路への衝突がより発生しやすい。
【０００６】
そこで本発明は、運搬者に安全な搬送を注意喚起させることができるワゴンを提供することを目的とする。
【課題を解決するための手段】
【０００７】
本発明のワゴンは、所定の間隔をあけて配置された複数の棚板が支柱により支持されたワゴン本体と、前記ワゴン本体の底部に設けられた車輪と、前記ワゴン本体の両側面に設けられた側板とを備え、前記側板の前部には、前記ワゴン本体から少なくとも一部が突出した凸部が設けられていることを特徴とする。
本発明のワゴンによれば、側板の前部には、ワゴン本体から突出した凸部が設けられているので、運搬者は凸部が通路や障害物に衝突しないように、急いている場合でもスピードを抑えたり、重量物を搬送する場合では更にゆっくりと進行したりして、注意を払いながら搬送するようになる。
【０００８】
前記凸部が前記側板の前部の下部に設けられていると、進行方向の後側を手押しする運搬者から側板の前部の下部に設けられた凸部が見えづらい。従って、運搬者は、更に気を付けながら搬送するようになる。
【０００９】
前記凸部の先端部同士を繋ぐ緩衝部材が設けられているのが望ましい。進行に伴って凸部同士の間に障害物が位置して衝突したとしても、緩衝部材が設けられているため衝撃を緩和することができる。
【００１０】
前記側板には、前記棚板同士の間となる位置に、前記棚板に載置された物品を覗かせる窓部が設けられているのが望ましい。上段の棚板上の物品であれば運搬者から見えるが、上段の棚板より下の棚板上の物品は側板により隠れるおそれがある。しかし、棚板に載置された物品を覗かせる窓部が側板に設けられていると、運搬者は窓部から物品を視認することができる。
【発明の効果】
【００１１】
本発明は、凸部が通路や障害物に衝突しないように、運搬者に安全な搬送を注意喚起させることができるので、安全に物品を運搬することができる。
【図面の簡単な説明】
【００１２】
【図１】本発明の実施の形態に係るワゴンを前方から見た斜視図である。
【図２】図１に示すワゴンを後方から見た斜視図である。
【発明を実施するための形態】
【００１３】
本発明の実施の形態に係るワゴンを図面に基づいて説明する。なお、本実施の形態では、ワゴンが進行する方向を前、反対側を後として説明する。
図１に示すワゴン１０は、病院や医療施設などに用いられるもので、ワゴン本体２０と、車輪３０と、側板４０とを備えている。
【００１４】
ワゴン本体２０は、ステンレスにより形成され、３枚の棚板２１と、４本の支柱２２と、前後の把手２３とにより形成されている。
棚板２１は、矩形状に形成され、周縁が下方に向けて折り曲げて加工されている。棚板２１の上面が搬送される物品が置かれる物品載置面となる。この棚板２１は、支柱２２に所定の間隔をあけて配置されている。本実施の形態では、上段および中段の棚板２１の間が、中段および下段の棚板２１の間より広い配置としている。
棚板２１には、周囲面に所定位置ごとに支持部材２１１ａが立設され、この支持部材２１１ａの先端部に矩形状の枠部材２１１ｂが溶接により接続され、支持されることで、物品の落下を防止するためのガード部として機能する柵部２１１が形成されている。
【００１５】
支柱２２は、円筒形状に形成された棒状部材により形成されている。支柱２２は、上段の棚板２１の角部に上端が接続され、中部および下部の角部を貫通して接続されている。
把手２３は、略コ字状に形成され、前部と後部とに２ヵ所に設けられている。詳細には、把手２３は、前側の２本の支柱２２および後側の２本の支柱２２の間に跨るように、支柱２２の上部に溶接により取り付けられている。
【００１６】
車輪３０は、４本の支柱２２の下端に設けられている。
側板４０は、プラ板と称されるプラスチック板により形成されている。側板４０は、ワゴン本体２０の長辺側の両側部に設けられている。側板４０には、自動車を側方から見た絵が描かれている。側板４０の後端は、ワゴン本体２０の後端と位置を合わせて形成され、前端は一部がワゴン本体２０より突出して形成されている。ワゴン本体２０より突出した凸部４１が、側板４０の前部の下部に設けられていることで、自動車の方向指示器、車幅灯などのフロント部分が描かれている。
【００１７】
側板４０は、ワゴン本体２０のそれぞれの棚板２１および支柱２２との隙間から、棚板２１に載置された物品が落下しないように、シーリング材により隙間なくワゴン本体２０に接着されている。
また、側板４０には、棚板２１に載置された物品を覗かせる窓部４２が、棚板２１ごとに設けられている。詳しくは、第１の窓部４２１が、下段の棚板２１の柵部２１１より高く、中段の棚板２１より低い範囲に形成されている。また、第２の窓部４２２が、中段の棚板２１の柵部２１１より高く、上段の棚板２１より低い範囲に形成されている。
【００１８】
２枚の側板４０の凸部４１には、先端同士を繋ぐバンパー部４３が緩衝部材として設けられている。このバンパー部４３は、幅方向（高さ方向）の長さを、凸部４１の前端部に合わせたプラスチック板の周囲に、弾性力を有するゴムやスポンジ、ウレタンなどが貼り付けられたものである。
【００１９】
以上のように構成された本発明の実施の形態に係るワゴン１０の使用状態について説明する。
運搬者はワゴン１０の後部の把手２３を押すことで、ワゴン１０は側板４０の凸部４１を進行方向の前側として走行することができる。
【００２０】
ワゴン１０を走行させる通路として直角に曲がった通路を走行するときは、円弧状の進路を取るが、このとき、側板４０の凸部４１がワゴン本体２０より突出しているので、運搬者は、あたかもワゴン１０の大きさが大きくなったような感覚でワゴン１０を押す必要がある。従って、運搬者は、凸部４１が通路や障害物に衝突しないように、いつもより慎重にワゴン１０を搬送するため、急いている場合でもスピードを抑えたり、重量物を搬送する場合では更にゆっくりと進行したりして、注意を払いながら搬送するようになる。よって、運搬者に安全な搬送を注意喚起させることにより、事前に危険を回避することができる。
【００２１】
また、凸部４１が側板４０の前部の下部に設けられていると、進行方向の後側を手押しする運搬者から凸部４１が見えづらい。従って、運搬者は、更に気を付けながら搬送するようになる。
【００２２】
また、進行に伴って凸部４１同士の間に障害物が位置して衝突したとしても、凸部４１の先端部同士を繋ぐバンパー部４３が設けられているので、衝撃を緩和することができる。
【００２３】
更に、側板４０には棚板２１同士の間となる位置に、第１の窓部４２１および第２の窓部４２２が設けられているので、中段の棚板２１および下段の棚板２１に載置された物品を、後方でワゴン１０を押す運搬者から視認しやすくすることができる。
また、第１の窓部４２１および第２の窓部４２２は、下段の棚板２１の柵部２１１および中段の棚板２１の柵部２１１より高い位置から上方の範囲で穿孔されているので、棚板２１上面から柵部２１１の上端までの間の側板４０により、物品落下の防止を図ることで物品の保護を図ることができると共に、どのような物品が搬送されているか無用な興味を抱く側方からの通行人の視線を遮ることができる。
【００２４】
側板４０の自動車の絵を、宅配業者や引越し業者が使用している運搬車のカラーに合わせることで、宅配業者や引越し業者からの広告として使用することもできる。この場合には、広告収入が期待できる。
【００２５】
なお、本実施の形態では、側板４０の前部の一部が凸部４１としてワゴン本体２０から突出しているが、全部が突出していてもよい。また、ワゴン１０は３段の棚板２１を有するものであるが、２段でも、４段以上あるものとしてもよい。
【産業上の利用可能性】
【００２６】
本発明は、病院や店舗、各種の施設などで使用されるワゴンに好適である。
【符号の説明】
【００２７】
１０  ワゴン
２０  ワゴン本体
２１  棚板
２１１  柵部
２１１ａ  支持部材
２１１ｂ  枠部材
２２  支柱
２３  把手
３０  車輪
４０  側板
４１  凸部
４２  窓部
４２１  第１の窓部
４２２  第２の窓部
４３  バンパー部
【図１】
2013112189.tif 000003
【図２】
2013112189.tif 000004